(57)【特許請求の範囲】
【請求項１】
遊技島に固定される略矩形状の外枠と、該外枠に対しヒンジ金具により開放可能に取り付けられる本体枠と、該本体枠の前面に対しヒンジを介して開放可能に取り付けられるガラス扉と、前記本体枠側に設けられ外枠に対して本体枠を施錠可能にすると共に、本体枠に対してガラス扉を施錠可能な施錠機構とを備えるパチンコ遊技機において、
前記外枠から前方へ本体枠が開放された状態では、ガラス扉の開放を規制し、かつ、前記外枠に対して本体枠が閉鎖された状態では、施錠機構の鍵穴に差し込まれた鍵によるガラス扉の開放を許容する規制手段をさらに備え、
前記規制手段は、本体枠側に設けられガラス扉に対して係脱可能な可動部材を備えたソレノイドと、外枠に対する本体枠の開閉状態を検知可能な検知手段とを備え、かつ、本体枠が外枠から前方へ開放されたときに、検知手段によるこの開放の検知によってソレノイドの可動部材が移動しガラス扉に対して係合してガラス扉の開放を規制し、本体枠が外枠に対して閉鎖されたときに、検知手段によるこの閉鎖の検知によってソレノイドの可動部材が移動しガラス扉との係合を解除してガラス扉の開放を許容することを特徴とするパチンコ遊技機。
【発明の詳細な説明】
【技術分野】
【０００１】
本発明は、パチンコホールなどの遊技場に設置されるパチンコ遊技機の施錠装置の改良にかかり、特に、外枠に対して開閉可能に取り付けられた本体枠を前方へ開放している状態において、本体枠の前面に開閉可能に取り付けたガラス扉が不正に開放されるのを防止する機能を備えたパチンコ遊技機に関する。
【背景技術】
【０００２】
パチンコ遊技機は、遊技島に取り付けられる略矩形の木製の外枠と、この外枠によりヒンジ金具を介して開閉可能に支持され、前面にて遊技盤を保持する本体枠と、該本体枠の前面にヒンジを介して開閉可能に保持され、前記遊技盤の盤面を正面から視認可能な窓を備えたガラス扉（前枠）と、外枠に対して本体枠を施錠可能とすると共に、本体枠に対してガラス扉を施錠可能とする施錠機構とを備えている。
【０００３】
施錠機構は、施錠位置と開錠位置との間を上下に移動できるように設けられた細長い板状の可動部材と、鍵の操作に連動してフック体を上下動させるカム片を有するシリンダー錠と、可動部材が施錠位置に移動した際にその可動部材の上下に一体形成された係止爪と係合する可動係止爪とを備えている。シリンダー錠の表面には、鍵穴が形成されると共に、その内面の軸部には、カム片が形成されている。また、フック体には、その略中央にカム片が当接するようにカム係合部が形成されており、フック体の上下にはこれを常時下方に付勢させるスプリングが取り付けられている。
【０００４】
そして、施錠機構は、シリンダー錠の鍵穴に差し込んだ鍵の操作によってカム片が回動すると、カム片が可動部材のカム係合部を押上げ、可動部材は、スプリングの付勢力に抗して上方に移動する。このとき係止爪は、可動係止爪との係合が解除される解錠位置に移動する。また鍵を鍵穴から引き抜くと、可動部材は、スプリングの付勢力により押し下げられ、カム係合部の下動に伴ってカム片を初期位置に回動させ、また係止爪は、可動係止爪と係合する施錠位置に移動する。
【０００５】
すなわち、施錠機構は、鍵をシリンダー錠の鍵穴に差し込み、鍵を一方方向（例えば、時計回り、すなわち右回り）に回転操作すると、外枠と本体枠とが開錠して、本体枠を外枠から前方へ開放することが出来る。また、施錠機構は、鍵を他方方向（例えば、反時計回り、すなわち左回り）に回転操作すると、本体枠とガラス扉とが開錠して、ガラス扉の開放が可能になる。そして、これらの回転操作は、それぞれ個別に行うことができるようになっている（特許文献１の［従来技術］を参照）。
【先行技術文献】
【特許文献】
【０００６】
【特許文献１】特公平７−４４９６８号公報
【発明の概要】
【発明が解決しようとする課題】
【０００７】
ところで、ホール営業中に遊技機のメンテナンスを行う場合、ホール従業員は本体枠の施錠機構の鍵穴に鍵を差し込み、本体枠を開錠して前方へ開放すると共に、鍵穴に鍵を差し込んだまま、本体枠背面の球通路の玉詰まり解消や、遊技島内の球供給樋の玉詰まり解消などのメンテナンスを行う場合が多い。
【０００８】
このとき、ホール従業員がメンテナンス作業に意識を集中している場合は、鍵に対する注意力が低下する。このような状況下で、遊技機を前に着席している遊技者がホール従業員の目を盗んで鍵を操作し、本体枠の前面のガラス扉を不正開放すると、遊技盤面に対する不正行為を容易に行える状態となる。
【０００９】
このような不正行為を予防するため、メンテナンス時に、ホール従業員は、遊技機の本体枠とガラス扉の上部に片方の手を添え、もう一方の手で遊技機の背面や遊技島の内部のメンテナンスを行って、ガラス扉が不正に開放されてもすぐに判るようにする場合もあるが、メンテナンスが片手での動作になるため、きわめて非効率である。
【００１０】
なお、本体枠を外枠から前方へ開放してメンテナンスを行う場合には、その都度、鍵を鍵穴から引き抜いて作業を行うよう従業員に指導しているホールもあるが、従業員が鍵を抜き忘れた場合には、前述のような不正開錠を誘発するおそれがある。
【００１１】
本発明はこのような事情に鑑みてなされたものであり、ホール従業員が本体枠の施錠機構の鍵穴に鍵を差し込んだまま、本体枠の裏側のメンテナンスを行っている場合に、遊技者が鍵穴に挿入された鍵を操作してガラス扉を不正に開放することを防止できるようにしたパチンコ遊技機を提供することを課題とする。
【課題を解決するための手段】
【００１２】
本発明は、上記の課題を解決するためのものであって、遊技島に固定される略矩形状の外枠と、該外枠に対しヒンジ金具により開放可能に取り付けられる本体枠と、該本体枠の前面に対しヒンジを介して開放可能に取り付けられるガラス扉と、前記本体枠側に設けられ外枠に対して本体枠を施錠可能にすると共に、本体枠に対してガラス扉を施錠可能な施錠機構とを備えるパチンコ遊技機において、前記外枠から前方へ本体枠が開放された状態では、ガラス扉の開放を規制し、かつ、前記外枠に対して本体枠が閉鎖された状態では、施錠機構の鍵穴に差し込まれた鍵によるガラス扉の開放を許容する規制手段をさらに備えることを特徴とする。
【００１３】
かかる構成によれば、本体枠が外枠から前方へ開放された状態では、規制手段によって、本体枠に対するガラス扉の開放が強制的に規制されることから、ホール従業員が、鍵を鍵穴に差し込んだままで、本体枠を外枠から前方へ開放してパチンコ遊技機の背面や遊技島の内部のメンテナンス作業を行っている場合に、鍵穴に差し込んだままの鍵を操作したとしてもガラス扉は開放されない。したがって、この状態において、ガラス扉が遊技者によって不正に開放されることを防止できる。
【００１４】
また、本発明における前記規制手段は、本体枠側に設けられガラス扉に対して係脱可能な可動部材を備えたソレノイドと、外枠に対する本体枠の開閉状態を検知可能な検知手段とを備え、かつ、本体枠が外枠から前方へ開放されたときに、検知手段によるこの開放の検知によってソレノイドの可動部材が移動しガラス扉に対して係合してガラス扉の開放を規制し、本体枠が外枠に対して閉鎖されたときに、検知手段によるこの閉鎖の検知によってソレノイドの可動部材が移動しガラス扉との係合を解除してガラス扉の開放を許容する構成を採用できる。
【００１５】
かかる構成によれば、本体枠が外枠から前方へ開放されているときに、検知手段によってこの開放状態を検知し、ソレノイドによってガラス扉の開放を規制することで、ホール従業員が、鍵を鍵穴に差し込んだままで、本体枠を開放してパチンコ遊技機の背面や遊技島の内部のメンテナンス作業を行っている場合に、鍵穴に差し込んだままの鍵を操作したとしてもガラス扉は開放されない。これによって、この状態において、ガラス扉が遊技者によって不正に開放されることを防止できる。
【００１６】
しかも、外枠に対して本体枠を閉じたときに、検知手段によってこの閉鎖状態を検知し、ソレノイドによって自動的にガラス扉の規制を解除することができるので、ホール従業員が規制解除操作をその都度行う必要がなく、作業性の良いものとなる。
【発明の効果】
【００２０】
本発明によれば、ホール従業員が本体枠の施錠機構の鍵穴に鍵を差し込んだまま、本体枠の裏側や遊技島の内部のメンテナンスを行っている場合に、遊技者が鍵穴に挿入されたままの鍵を操作してガラス扉を不正に開放することを防止できる。
【図面の簡単な説明】
【００２１】
【図１】本発明の第１実施形態に係るパチンコ遊技機の正面図を示す。
【図２】ガラス扉が本体枠に対して閉じた状態で、本体枠が外枠から開放された状態を示す正面図である。
【図３】同実施形態に係るパチンコ遊技機における施錠機構部の縦断面図を示す。
【図４】同実施形態に係るパチンコ遊技機のガラス扉の背面に設けられる補強板を背面側から見た斜視図を示す。
【図５】（ａ）は、同実施形態に係るパチンコ遊技機の施錠機構の正面図、（ｂ）は、同施錠機構の側面図、及び（ｃ）は、同施錠機構の背面図、を示す。
【図６】規制手段を示す断面図である。
【図７】規制手段を示す断面図である。
【図８】規制手段の回路図である。
【図９】参考例に係る規制手段の断面図である。
【図１０】同じく規制手段の断面図である。
【発明を実施するための形態】
【００２２】
以下、本発明を実施するための形態を、図面に基づき説明する。図１〜図８は本発明に係るパチンコ遊技機の第１実施形態を示す。
【００２３】
パチンコ遊技機は、木製の外枠１と、該外枠１に対して開放可能に取り付けられる本体枠２と、該本体枠２に対して開放可能に取り付けられるガラス扉３と、外枠１に対して本体枠２を施錠可能にすると共に、本体枠２に対してガラス扉３を施錠可能な施錠機構４と、本体枠２が外枠１に対して開放された状態で、ガラス扉３の本体枠２に対する開放を規制する規制手段５と備える。
【００２４】
外枠１は、パチンコ遊技機の外形を形成すべく、略矩形状に枠組みされ金具によって補強されている。そして、この外枠１は、遊技場内に設けられる遊技島に釘や木ネジで固定されている。
【００２５】
本体枠２は、円形の遊技盤面を備えた遊技盤２１を前面に保持している。また、この本体枠２は、外枠１の（パチンコ遊技機の正面から見て）左端の上下に設けたヒンジ金具１１，１１を介して外枠１により揺動開閉自在に支持されている。
【００２６】
また、本体枠２は、その下部前面に、図示していない賞球払出装置から払い出される賞球を貯留するための上皿８ａを備えている。また、本体枠２は、上皿８ａの下部に、上皿８ａからオーバーフローした賞球（パチンコ球）を貯留するための下皿８ｂを備えている。そして、本体枠２には、上皿８ａに貯留したパチンコ球を遊技盤２１へ発射するための発射ハンドル９が設けられている。更に、本体枠２には、上皿８ａの左右両側に位置するスピーカ１０，１０が設けられている。
【００２７】
ガラス扉３は、本体枠２の前面側に備えられている。このガラス扉３は、遊技盤２１の円形の遊技盤面が視認可能な丸窓の背後において二重の透明ガラス２２を備えている。そして、ガラス扉３は、本体枠２の左端の上下に設けられたヒンジ２３，２３を介して本体枠２に対して開閉自在に取り付けられている。
【００２８】
施錠機構４は、本体枠２に固定される固定枠部材４１と、該固定枠部材４１の上方に移動付勢された可動部材４３と、鍵の操作に連動して可動部材４３を上下動するカム片を有するシリンダー錠４７と、本体枠２からガラス扉３を開放するのを阻止する上下一対の可動係止爪２４，２４と、本体枠２を外枠１に固定するための上下一対のロック爪２５，２５とを備えている。
【００２９】
固定枠部材４１は、平面視コの字状で縦長状に形成されている。また、固定枠部材４１には、上下方向に移動自在で、且つ所定間隔を置いて配置された２個の第１コイルバネ４２，４２が設けられている。
【００３０】
可動部材４３は、第１コイルバネ４２，４２により上方に移動付勢されている。また、可動部材４３の略中央には、シリンダー錠４７のカム片が当接されている。そして、可動部材４３の上下には、カム片を常時下方に付勢するスプリングが取り付けられている。
【００３１】
シリンダー錠４７は、表面に形成される鍵穴４７Ｎと、内面の軸部に形成される回転カム４８とを備えている。鍵穴４７Ｎは、鍵を差し込むことができるようになっている。また、回転カム４８は、鍵穴４７Ｎに差し込まれた鍵を回転させることにより、シリンダー錠４７の回転と連動して、可動部材４３を上下方向に移動させる。
【００３２】
可動係止爪２４は、本体枠２に、上方に向けて突出して形成されている。そして、可動係止爪２４は、この可動係止爪２４の爪部２４Ａ，２４Ａがガラス扉３の開放端側の上下に設けた第１係止爪３１，３１に上下方向からそれぞれ係止する。このようにして、可動係止爪２４は、本体枠２からガラス扉３が開放するのを阻止している。
【００３３】
なお、第１係止爪３１，３１は、図３及び図４に示すように、ガラス扉３の背面に設けられる金属製補強板３２の背面の左側（遊技機の背面側から見て）に溶接されるプレート板３３の上下端に備えられている。そして、第１係止爪３１，３１は、このプレート板３３に左右方向外側に延びるように形成された突出片からなっている。
【００３４】
ロック爪２５，２５は、本体枠２の開放端側に対応する外枠１側の上下に設けた第２係止爪１２，１２（図２参照）に上下方向からそれぞれ係止するようになっている。このようにして、ロック爪２５，２５は、本体枠２を外枠１に固定している。また、ロック爪２５，２５のそれぞれは、第２コイルバネ４４，４４により反時計回りに揺動付勢されている。そして、ロック爪２５，２５は、固定枠部材４１に水平軸芯Ｘ回り（時計回り）に揺動できるように構成されている。
【００３５】
施錠機構４の施錠操作及び施錠解除操作について、図５を参酌しつつ説明する。まず、図５（ａ）に示すように、固定枠部材４１の下部に設けたシリンダー錠４７に鍵を差し込む。そして、例えば、一点鎖線で示すように反時計回り（Ａ２方向）にシリンダー錠４７を回転させると、シリンダー錠４７の背面に備えた回転カム４８の上側のカム片４８Ａ（図５（ｃ）参照）が可動部材４３の上側の貫通孔４３Ａに係合し、可動部材４３を下方に移動させる。上側のカム片４８Ａが可動部材４３を下方へ移動させることにより、可動係止爪２４，２４を下方（図５（ｂ）の一点差線で示す方向）に移動させ、本体枠２に対してガラス扉３が施錠解除する。このとき、ロック爪２５，２５は、ロックされた状態を維持している。よって、本体枠２は、外枠１に対して施錠されたままとなる。
【００３６】
一方、シリンダー錠４７に鍵を差し込んで、二点鎖線で示すように時計回り（Ａ１方向）にシリンダー錠４７を回転させると、回転カム４８の下側のカム片２８Ｂが可動部材４３の下側の貫通孔４３Ｂに係合し、可動部材４３を上方に移動させる。可動部材４３が上方へ移動することにより、第２当接片４６，４６は、ロック爪２５，２５に当接してロック爪２５，２５を図５（ｂ）に示すように時計回りに揺動させる。このようにして、ロック爪２５，２５をロック解除すると、外枠１に対して本体枠２は、施錠を解除する。このとき、可動係止爪２４は、第１コイルバネ４２，４２の付勢力によりロックが維持される。そして、ガラス扉３は、再び、可動部材４３が上方へ移動して、本体枠２に対して施錠する。
【００３７】
規制手段５は、図６、図７に示すように、ガラス扉３に対して係脱可能なソレノイド５１と、外枠１に対する本体枠２の開閉状態を検知可能な検知手段５２とを備える。ソレノイド５１と検知手段５２は、本体枠２に設けられている。なお、この図６、図７は、外枠１、本体枠２、ガラス扉３、施錠機構４、及び規制手段５の関係を示す概念的な図である。
【００３８】
ソレノイド５１は、ガラス扉３に係脱可能な可動芯体（可動部材）５１ａを有する。前記施錠機構４は、この可動芯体５１ａが係合する係合部４９を有する。係合部４９は、施錠機構４の前記可動係止爪２４と一体に形成されている。係合部４９は板状に構成され、本体枠２を貫通してパチンコ遊技機の内部側に突出して形成されている。この係合部４９には、ソレノイド５１の可動芯体５１ａが係合可能な係合孔４９ａが係合部４９の厚さ方向に貫通して形成されている。
【００３９】
ソレノイド５１と検知手段５２とは電気的に接続されている。検知手段５２は、本実施形態では、本体枠２に接触したときに、ソレノイド５１の可動芯体５１ａを前記係合部４９の係合孔４９ａに係合させるためのスイッチである。また、この検知手段５２は、本体枠２から離れたとき（接触が解除されたとき）に、可動芯体５１ａを前記係合孔４９ａから離す（係合を解除する）ためのスイッチでもある。
【００４０】
検知手段５２は、外枠１と接触可能な接触部５３と、この接触部５３を支持するスイッチ本体５４とを有する。スイッチ本体５４には、接触部５３がスイッチ本体５４から突出するように付勢する付勢手段（例えばバネ部材）が設けられている。これにより、接触部５３は、その一端部がスイッチ本体５４に対して出退自在に突出している。
【００４１】
図６に示すように、本体枠２が外枠１に対して閉鎖されたとき（閉じられたとき）、検知手段５２は、接触部５３が外枠１に対して接触した状態となる。このように接触部５３が外枠１に接触したことにより、検知手段５２は、本体枠２が閉鎖されたことを検知することができる。このとき、検知手段５２のこの検知信号によってソレノイド５１が作動する。具体的には、ソレノイド５１は、可動芯体５１ａを後退するように作動させる。これにより、可動芯体５１ａは、前記係合部４９の係合孔４９ａから離れる。この状態では、ソレノイド５１の可動芯体５１ａは、施錠装置４の可動係止爪２４を規制しない。したがって、施錠装置４の鍵穴４７Ｎに差し込まれた鍵を操作することで、ガラス扉３を開放することができる。
【００４２】
一方、図７に示すように、鍵の操作によって施錠機構４が操作され、外枠１に対する本体枠２の施錠が解除され、本体枠２が開かれたとき、接触部５３は外枠１から離れるとともに、前記付勢手段による付勢によってスイッチ本体５４から突出する。検知手段５２は、接触部５３のこの突出によって、本体枠２が外枠１から開放されたことを検知する。
【００４３】
検知手段５２のこの検知によって、ソレノイド５１が作動する。具体的には、ソレノイド５１は、前記係合部４９の係合孔４９ａに入るように可動芯体５１ａを突出させる。これにより、可動芯体５１ａと係合部４９とが係合する。
【００４４】
可動芯体５１ａが前記係合孔４９ａに係合すると、この係合部４９に一体に形成される可動係止爪２４の動きが規制される。具体的には、可動係止爪２４は、可動芯体５１ａによって、ガラス扉３に設けられている第１係止爪３１を掛止した状態のまま、動かないように規制される。これにより、ガラス扉３は、閉じた状態を維持するように規制される。
【００４５】
図８は、本実施形態の変形例に係る規制手段５の回路図を示す。この回路は、複数（図例では２つ）の検知手段（スイッチ）５２と、ソレノイド５１と、電源５５と、各スイッチの保護手段５６とを有する。この回路において、２つの検知手段５２、電源５５及びソレノイド５１は、直列に接続されている。保護手段５６は、コンデンサ５６ａと、抵抗５６ｂとを有する。この回路において、保護手段５６は、直列に接続される２つの検知手段５２に対して並列に接続されている。
【００４６】
この例によれば、本体枠２を外枠１に対して閉じたときに、直列に接続された２つの検知手段（スイッチ）５２がＯＮになり、ソレノイド５１がガラス扉３に対する規制（係合部４９に対する係合）を解除するように動作する。また、本体枠２を外枠１から開放したときに、検知手段（スイッチ）５２がＯＦＦになり、ソレノイド５１がガラス扉３の開放を規制するように動作する。このように、２つの検知手段５２を規制手段５として例えば上下方向や左右方向に互いに離れた位置に設けることによって、不正行為をより効果的に防止できるようになる。
【００４７】
本実施形態は、この変形例のみに限らず、例えば、本体枠２を外枠１に対して閉じたときに、検知手段５２がＯＦＦになり、これによってソレノイド５１がガラス扉３の規制を解除するようの動作し、本体枠２を開放したときに、検知手段５２がＯＮになり、ソレノイド５１がガラス扉３を規制するように構成されていてもよい。このようにすることで、例えばホール営業終了後に、遊技機の電源がＯＦＦになった場合でも、ガラス扉３を開放してメンテナンス作業を行うことができるようになる。
【００４８】
以上説明した本実施形態のパチンコ遊技機によれば、本体枠２が外枠１に対して閉鎖されているときに、規制手段５によって、本体枠２に対するガラス扉３の開放を規制することができる。したがって、ホール従業員が外枠１に対して本体枠２を前方（従業員から見て手前の方向）に引いて開放し、パチンコ遊技機の裏面や遊技島の内部のメンテナンス作業を行う場合において、例えば、遊技者が、施錠装置４の鍵穴に差し込まれた鍵を操作しても、ガラス扉３が開くことはない。
【００４９】
また、規制手段５が検知手段５２とソレノイド５１を有することで、本体枠２が外枠１に対して閉鎖されたとき、又は本体枠２が外枠１から開放されたとき、この規制手段５によって、ガラス扉３の規制・規制解除が自動的に行われるため、ホール従業員がわざわざ、この規制・規制解除の操作を行う必要がなく、メンテナンス作業を効率良く行うことができるようになる。
【００５０】
図９、図１０は、パチンコ遊技機の参考例を示す。図１０、図１１は、外枠１、本体枠２、ガラス扉３、施錠機構４、及び規制手段５の関係を示す概念的な図である。参考例に係るパチンコ遊技機は、規制手段５の構成が第１実施形態と異なる。
【００５１】
規制手段５は、ガラス扉３の開放を規制するための規制部材５８と、この規制部材５８を所定の方向に付勢する付勢部材５９とを有する。
【００５２】
規制部材５８は、所定の方向に突出する突起部を有する。以下、一方の突起部を第１突起部５８ａといい、他方の突起部を第２突起部５８ｂという。第１突起部５８ａと第２突起部５８ｂは連結部５８ｃによって連結されている。
【００５３】
第１突起部５８ａは、本体枠２が外枠１に対して閉鎖されたときに、その先端が外枠１に接触するように、外枠１に向かって突出している。すなわち、この第１突起部５８ａは、本体枠２が閉鎖されたときに、外枠１に接触可能な接触部５３となっている。
【００５４】
この第１突起部５８ａは、本体枠２に設けられた支持部２６に支持されている。この支持部２６は、板状に構成されるとともに、第１突起部５８ａを挿通可能な挿通孔２７を有する。第１突起部５８ａは、その中途部がこの挿通孔２７に挿通されることによって支持部２６に支持されている。また、第１突起部５８ａは、この挿通孔２７に挿通されることにより、この挿通孔２７の中心軸の方向（又は第１突起部５８ａの突出方向）に沿って移動可能となっている。
【００５５】
施錠機構４は、第１実施形態と同様に、規制部材５８と係合する係合部４９を有する。この係合部４９は、可動係止爪２４と一体に形成されている。この係合部４９は、規制部材５８の第２突起部５８ｂが係合する係合孔４９ａを有している。
【００５６】
第２突起部５８ｂは、第１突起部５８ａの突出方向と平行な方向に突出して形成されている。この第２突起部５８ｂは、施錠機構４の係合部４９の係合孔４９ａに対して係脱自在に挿入される。この係合孔４９ａの中心軸は、前記本体枠２の支持部２６に形成された挿通孔２７の中心軸とほぼ平行にされている。第２突起部５８ｂは、前記係合孔４９ａに挿入されることで、ガラス扉３が開放されないように規制することができる。すなわち、第２突起部５８ｂは、ガラス扉３の開放を規制する規制部となっている。
【００５７】
参考例では、付勢部材５９としてコイルバネが使用されている。付勢部材５９は、その一端部が規制部材５８に取り付けられ、その他端部が本体枠２側に取り付けられている。付勢部材５９は、その弾性復元力によって、第１突起部５８ａが外枠１に向かって突出するように規制部材５８を付勢している。
【００５８】
図９に示すように、本体枠２が外枠１に対して閉鎖されているとき、第１突起部５８ａは、外枠１に接触しており、この外枠１に押されることで、付勢部材５９の付勢に抗して後退した状態となっている。このとき、第１突起部５８ａは、付勢部材５９の弾性復元力（付勢力）によって、外枠１に対して接触した状態を維持することができる。
【００５９】
この状態において、第２突起部５８ｂは、係合部４９の係合孔４９ａと係合しておらず、この係合孔４９ａから抜け出した（離れた）状態となっている。この場合、施錠装置４の可動係止爪２４は第２突起部５８ｂによって規制されない。したがって、施錠装置４に設けられた鍵穴４７Ｎに差し込まれた鍵を操作することでガラス扉３を開放することができる。
【００６０】
一方、図１０に示すように、外枠１に対して本体枠２を前方へ開放した場合、外枠１に接触していた第１突起部５８ａが外枠１から離れる。このとき、規制部材５８は、付勢部材５９の付勢力によって押し出され、第１突起部５８ａが外枠１側に向かって突出（移動）する。
【００６１】
これとともに、第２突起部５８ｂも、第１突起部５８ａと同じ方向に移動する。これによって、第２突起部５８ｂは、施錠装置４の係合部４９に設けられた係合孔４９ａに係合する。第２突起部５８ｂが前記係合孔４９ａに係合すると、この係合部４９に一体に形成される可動係止爪２４の動きが規制される。具体的には、可動係止爪２４は、第２突起部５８ｂによって、ガラス扉３に設けられている第１係止爪３１を掛止した状態のまま、動かないように規制される。これにより、ガラス扉３は、閉じた状態を維持するように規制される。
【００６２】
参考例におけるその他の構成は、第１実施形態と同様である。参考例において第１実施形態と共通する要素には、共通符号を付して説明を割愛する。参考例においても第１実施形態と同様の作用効果を奏する。
【００６３】
なお、本発明は上記の実施形態に限定されず、発明の範囲を逸脱しない限りにおいて種々の変更・変形が可能である。
【００６４】
上記の実施形態では、規制手段５が施錠機構４の係合部４９に係合することによって、ガラス扉３の開放が規制される例を示したが、これに限らず、例えば、施錠機構４を介さずに、ガラス扉３の開放を規制する構成を採用できる。例えば、上記の実施形態では、規制手段５が係合する係合部４９を施錠機構４に設けていたが、この係合部４９をガラス扉３に直接設け、この係合部４９に規制手段５を係合させてガラス扉３の開放を規制するようにしてもよい。
【００６５】
上記の実施形態では、パチンコ遊技機に１つの規制手段を設けた例を示したが、これに限定されず、パチンコ遊技機に複数の規制手段を設けるようにしてもよい。
【００６７】
また、上記の実施形態では、可動部材４３に連結される可動係止爪２４に係合部４９を一体に設け、この係合部４９の係合孔４９ａに規制手段５を係合させることで、ガラス扉３の開放を規制する例を示したが、これに限定されない。例えば、可動部材４３の中途部に係合部４９を一体に設け、この係合部４９形成した係合孔４９ａと規制手段５とを係合・係合解除することで、ガラス扉３の開放を規制・規制解除するようにしてもよい。この場合には、係合孔４９ａは、外枠１に対する本体枠２の施錠・解錠に伴う可動部材４３の上下の動きを規制することなく、本体枠２に対するガラス扉３の施錠・解錠に伴う可動部材４３の上下の動きを規制できるように、上下方向に長い長孔とされることが望ましい。これによって、規制手段５を係合孔４９ａに係合させた場合に、本体枠２を開放したときに、ガラス扉３の開放を規制することが可能になる。また、可動部材４３に、係合部４９を設けずに係合孔４９ａを直接設けるようにしてもよい。
【符号の説明】
【００６８】
１…外枠、２…本体枠、３…ガラス扉、４…施錠機構、５…規制手段、８ａ…上皿、８ｂ…下皿、９…発射ハンドル、１０…スピーカ、１１…ヒンジ金具、１２…第２係止爪、２１…遊技盤、２２…透明ガラス、２３…ヒンジ、２４…可動係止爪、２５…ロック爪、２６…支持部、２７…挿通孔、３１…第１係止爪、４１…固定枠部材、４２…第１コイルバネ、４３…可動部材、４４…第２コイルバネ、４６…当接片、４７…シリンダー錠、４８…回転カム、４８ａ…カム片、４９…係合部、４９ａ…係合孔、５１…ソレノイド、５１ａ…可動芯体（可動部材）、５２…検知手段、５３…接触部、５４…スイッチ本体、５５…電源、５６…保護手段、５６ａ…コンデンサ、５６ｂ…抵抗、５８…規制部材、５８ａ…第１突起部、５８ｂ…第２突起部、５８ｃ…連結部、５９…付勢部材
【図１】
0005508811.tif 000002
【図２】
0005508811.tif 000003
【図３】
0005508811.tif 000004
【図４】
0005508811.tif 000005
【図５】
0005508811.tif 000006
【図６】
0005508811.tif 000007
【図７】
0005508811.tif 000008
【図８】
0005508811.tif 000009
【図９】
0005508811.tif 000010
【図１０】
0005508811.tif 000011